(57)【要約】【課題】着信不在時に、特に音声メッセージによる通常の留守録機能を使用することなく、その後の円滑な対処法を得ることの出来るメッセージ通知システムを提供する。【解決手段】着信履歴を管理可能な端末間で、音声とデータの通信を行うもので、着信者側端末は、発信者側端末からの着信を検出し、発信者側端末を特定する発信端末ＩＤを取得し、不在信号を発信者側端末に通知する。その後、前記発信者側端末からメッセージＩＤを受信すると、受信したメッセージＩＤと発信端末ＩＤとを関連付けて着信履歴を作成し管理する。そして、着信履歴を表示画面に出力する。【選択図】図４
2005117278.tif 000002
【特許請求の範囲】
【請求項１】
着信の履歴を管理することが可能な端末間で、音声とデータの通信を行うメッセージ通知システムであって、
着信者側端末は、発信者側端末からの着信を検出し、発信者側端末を特定する発信端末ＩＤを取得する発信端末ＩＤ取得手段と、前記着信を検出後、音声通話が不可能な旨を示す不在信号を前記発信者側端末に通知する不在信号送信手段と、前記不在信号を通知した後、前記発信者側端末から送信された所定のコンテンツメッセージを受信するメッセージ受信手段と、受信したコンテンツメッセージと前記発信端末ＩＤとを関連付けて着信履歴を作成し、管理する着信履歴管理手段と、前記着信履歴を出力する着信履歴出力手段を備え、
前記発信者側端末は、前記着信者側端末から不在信号を検出する不在信号検出手段と、前記不在信号の検出後、所定のコンテンツメッセージを前記着信者側端末に送信するメッセージ送信手段を備えることを特徴とするメッセージ通信システム。
【請求項２】
コンテンツメッセージを蓄積管理するサーバを備え、
前記発信者側端末が送信した所定のコンテンツメッセージは、前記サーバに蓄積管理されたコンテンツメッセージを特定するメッセージ特定情報であり、
前記着信履歴出力手段は、前記着信履歴内のコンテンツメッセージから、前記サーバで蓄積管理されたコンテンツメッセージを特定し、該コンテンツメッセージを取得して出力することを特徴とする請求項１に記載のメッセージ通信システム。
【請求項３】
前記着信者側端末は、コンテンツメッセージを蓄積管理するメッセージ管理手段を備え、
前記発信者側端末が送信した所定のコンテンツメッセージは、前記メッセージ管理手段に蓄積管理されたコンテンツメッセージを特定するメッセージ特定情報であり、
前記着信履歴出力手段は、前記着信履歴内のコンテンツメッセージから、前記メッセージ管理手段で蓄積管理されたコンテンツメッセージを特定し、該コンテンツメッセージを取得して出力することを特徴とする請求項１に記載のメッセージ通信システム。
【請求項４】
前記発信者側端末は、前記着信者側端末から不在信号を受信した際に、前記コンテンツメッセージを前記着信者側端末に送信するか否かを選択するメッセージ送信選択手段を備えることを特徴とする請求項１に記載のメッセージ通信システム。
【請求項５】
前記発信者側端末は、前記着信者側端末を特定する着信端末ＩＤを取得する着信端末ＩＤ取得手段と、前記コンテンツメッセージと前記着信端末ＩＤとを関連付けて発信履歴を作成し、管理する発信履歴管理手段と、前記発信履歴を出力する発信履歴出力手段を備えることを特徴とする請求項１に記載のメッセージ通信システム。
【請求項６】
前記発信者側端末は、前記着信者側端末から不在信号を受信した際に、音声通話回線を切断し、データ通信回線に切替える切替手段を備え、
前記メッセージ送信手段は切替えられたデータ通信回線を介して前記コンテンツメッセージを前記着信者側端末に送信することを特徴とする請求項１に記載のメッセージ通信システム。
【請求項７】
前記発信者側端末のメッセージ送信手段は、送信するコンテンツメッセージをメールで前記着信側端末に送信し、
前記着信者側端末のメッセージ受信手段は、同じくメールで前記コンテンツメッセージを受信することを特徴とする請求項６に記載のメッセージ通信システム。
【請求項８】
前記着信者側端末は、前記発信者側端末において、送信すべき複数のコンテンツメッセージを送信する複数メッセージ通知手段を備え、
前記複数メッセージ通知手段は、前記不在信号を送信する際に、前記複数のコンテンツメッセージを前記発信者側端末に送信し、
前記発信者側端末は、さらに、前記複数のコンテンツメッセージを受信する複数メッセージ取得確認手段と、取得した前記複数のコンテンツメッセージから前記着信者側端末へ送信すべきコンテンツメッセージを選択するメッセージ選択手段を備え、
前記メッセージ送信手段は、前記選択されたコンテンツメッセージを前記着信者側端末に送信することを特徴とする請求項１に記載のメッセージ通信システム。
【請求項９】
前記発信者側端末に電話番号を発信先に通知しない非通知設定がされている時に、前記着信者側端末は、非通知であることを示す信号を、前記発信者側端末からコンテンツメッセージが送信されたとき、又は、前記不在信号を前記発信者側端末に通知するときに、前記発信者側端末に送信する非通知信号送信手段を備え、
前記発信者側端末は、前記着信者側端末から送信された非通知であることを示す信号を検出し、表示する非通知設定検出手段を備えることを特徴とする請求項１に記載のメッセージ通信システム。
【請求項１０】
前記発信者側端末に電話番号を発信先に通知しない非通知設定がされている時に、前記発信者側端末は、前記着信者側端末に前記コンテンツメッセージを送信しようとした場合、非通知であることを検出し、表示する非通知設定検出手段を備えることを特徴とする請求項１に記載のメッセージ通信システム。
【請求項１１】
前記着信者側端末は、前記発信者側端末から掛け直すことを示すコンテンツメッセージが送信された場合、通話可能時刻を示すコンテンツメッセージを前記発信者側端末に送信するスケジュール通知手段を備え、
前記発信者側端末は、前記着信者側端末から送信された通話可能時刻を示すコンテンツメッセージを取得し、表示するスケジュール取得手段を備えることを特徴とする請求項１に記載のメッセージ通信システム。
【請求項１２】
発信の履歴を管理することが可能で、着信者側端末と音声とデータの通信を行う発信者側端末であって、
前記着信者側端末に、発信者側端末を特定する発信端末ＩＤを通知する発信端末ＩＤ送信手段と、前記発信端末ＩＤを通知後、前記着信者側端末から音声通話が不可能な旨を示す不在信号が送信された場合、その不在信号を検出する不在信号検出手段と、前記不在信号を検出した際に、所定のコンテンツメッセージを前記着信者側端末に送信するか否かを選択するメッセージ送信選択手段と、送信することが選択された場合に、音声通話回線を切断し、データ通信回線に切替える切替手段と、前記コンテンツメッセージを前記着信者側端末にデータ通信回線を用いて送信するメッセージ送信手段を備えることを特徴とする発信者側端末。
【請求項１３】
着信の履歴を管理することが可能で、発信者側端末と音声とデータの通信を行う着信者側端末であって、
前記発信者側端末からの着信を検出し、発信者側端末を特定する発信端末ＩＤを取得する発信端末ＩＤ取得手段と、前記着信を検出後、音声通話が不可能な旨を示す不在信号を前記発信者側端末に通知する不在信号送信手段と、前記不在信号を通知した後に、前記発信者側端末から所定のコンテンツメッセージが送信された場合、そのコンテンツメッセージを受信するメッセージ受信手段と、受信したコンテンツメッセージと前記発信端末ＩＤとを関連付けて着信履歴を作成し、管理する着信履歴管理手段と、前記着信履歴を出力する着信履歴出力手段を備えることを特徴とする着信者側端末。
【発明の詳細な説明】
【技術分野】
【０００１】
本発明は、着信の履歴を管理することが可能な端末間で、音声とデータの通信を行うメッセージ通知システム、および、そのメッセージ通知システムで使用される発信者側端末、着信者側端末に関する。
【背景技術】
【０００２】
携帯電話の普及にともない、着信の履歴を管理する機能が付加された端末が知られているが、着信不在時には音声によるメッセージで留守録が行われるのが通常であるため、発信者は煩わしさや恥ずかしさなどから音声メッセ−ジを入れない場合が多い。
このように音声メッセージが記録されていない場合、着信者側端末には、着信履歴として発信者側端末の電話番号が情報として記録されるが、発信者が着信者に対してどのような対処をしてほしいのか，例えば、発信者が後で掛け直すのか、又は着信者から掛け直して欲しいのか、又は重要な用件ではないのでまた今度の機会にするのか、などの情報は記録されるものではなかった。
【０００３】
また、留守録として音声によるメッセージの他にＵＲＬ（Uniform Resource Locator）情報を記録するものも知られている（例えば、特許文献１参照）。
【特許文献１】特開２００１−１５６９３１号公報
【発明の開示】
【発明が解決しようとする課題】
【０００４】
しかしながら、上記特許文献１に記載の技術は、音声メッセージが記録されていない場合、上述したように発信者が着信者に対してどのような対処をしてほしいかについて具体的なメッセージを着信履歴として記録するものではない。
そのため、発信者は場合によっては何度も不要な電話をしたりする恐れがあった。
【０００５】
そこで本発明の目的は、上記問題点を解決するために、着信不在時に、特に音声メッセージによる通常の留守録機能を使用することなく、その後の円滑な対処法を得ることの出来るメッセージ通知システムを提供することにある。
【課題を解決するための手段】
【０００６】
上記の目的を達成するために本発明は、着信の履歴を管理することが可能な端末間で、音声とデータの通信を行うメッセージ通知システムであって、
着信者側端末は、発信者側端末からの着信を検出し、発信者側端末を特定する発信端末ＩＤを取得する発信端末ＩＤ取得手段と、前記着信を検出後、音声通話が不可能な旨を示す不在信号を前記発信者側端末に通知する不在信号送信手段と、前記不在信号を通知した後、前記発信者側端末から送信された所定のコンテンツメッセージを受信するメッセージ受信手段と、受信したコンテンツメッセージと前記発信端末ＩＤとを関連付けて着信履歴を作成し、管理する着信履歴管理手段と、前記着信履歴を出力する着信履歴出力手段を備え、
前記発信者側端末は、前記着信者側端末から不在信号を検出する不在信号検出手段と、前記不在信号の検出後、所定のコンテンツメッセージを前記着信者側端末に送信するメッセージ送信手段を備えることを特徴とする。
なお、着信履歴の出力には、画面に表示することに限らず、音声で出力することも含まれる。また画面と音声の両者で出力することも含まれる。
【０００７】
また本発明は、コンテンツメッセージを蓄積管理するサーバを備え、前記発信者側端末が送信した所定のコンテンツメッセージは、前記サーバに蓄積管理されたコンテンツメッセージを特定するメッセージ特定情報であり、前記着信履歴出力手段は、前記着信履歴内のコンテンツメッセージから、前記サーバで蓄積管理されたコンテンツメッセージを特定し、該コンテンツメッセージを取得して出力することを特徴とする。
【０００８】
さらに本発明は、前記着信者側端末は、コンテンツメッセージを蓄積管理するメッセージ管理手段を備え、前記発信者側端末が送信した所定のコンテンツメッセージは、前記メッセージ管理手段に蓄積管理されたコンテンツメッセージを特定するメッセージ特定情報であり、前記着信履歴出力手段は、前記着信履歴内のコンテンツメッセージから、前記メッセージ管理手段で蓄積管理されたコンテンツメッセージを特定し、該コンテンツメッセージを取得して出力することを特徴とする。
【０００９】
また本発明は、前記発信者側端末は、前記着信者側端末から不在信号を受信した際に、前記コンテンツメッセージを前記着信者側端末に送信するか否かを選択するメッセージ送信選択手段を備えることを特徴とする。
【００１０】
また本発明は、前記発信者側端末は、前記着信者側端末を特定する着信端末ＩＤを取得する着信端末ＩＤ取得手段と、前記コンテンツメッセージと前記着信端末ＩＤとを関連付けて発信履歴を作成し、管理する発信履歴管理手段と、前記発信履歴を出力する発信履歴出力手段を備えることを特徴とする。
【００１１】
また本発明は、前記発信者側端末は、前記着信者側端末から不在信号を受信した際に、音声通話回線を切断し、データ通信回線に切替える切替手段を備え、前記メッセージ送信手段は切替えられたデータ通信回線を介して前記コンテンツメッセージを前記着信者側端末に送信することを特徴とする。
【００１２】
また本発明は、前記発信者側端末のメッセージ送信手段は、送信するコンテンツメッセージをメールで前記着信側端末に送信し、前記着信者側端末のメッセージ受信手段は、同じくメールで前記コンテンツメッセージを受信することを特徴とする。
【００１３】
また本発明は、前記着信者側端末は、前記発信者側端末において、送信すべき複数のコンテンツメッセージを送信する複数メッセージ通知手段を備え、前記複数メッセージ通知手段は、前記不在信号を送信する際に、前記複数のコンテンツメッセージを前記発信者側端末に送信し、前記発信者側端末は、さらに、前記複数のコンテンツメッセージを受信する複数メッセージ取得確認手段と、取得した前記複数のコンテンツメッセージから前記着信者側端末へ送信すべきコンテンツメッセージを選択するメッセージ選択手段を備え、前記メッセージ送信手段は、前記選択されたコンテンツメッセージを前記着信者側端末に送信することを特徴とする。
【００１４】
また本発明は、前記発信者側端末に電話番号を発信先に通知しない非通知設定がされている時に、前記着信者側端末は、非通知であることを示す信号を、前記発信者側端末からコンテンツメッセージが送信されたとき、又は、前記不在信号を前記発信者側端末に通知するときに、前記発信者側端末に送信する非通知信号送信手段を備え、前記発信者側端末は、前記着信者側端末から送信された非通知であることを示す信号を検出し、表示する非通知設定検出手段を備えることを特徴とする。
【００１５】
また本発明は、前記発信者側端末に電話番号を発信先に通知しない非通知設定がされている時に、前記発信者側端末は、前記着信者側端末に前記コンテンツメッセージを送信しようとした場合、非通知であることを検出し、表示する非通知設定検出手段を備えることを特徴とする。
【００１６】
また本発明は、前記着信者側端末は、前記発信者側端末から掛け直すことを示すコンテンツメッセージが送信された場合、通話可能時刻を示すコンテンツメッセージを前記発信者側端末に送信するスケジュール通知手段を備え、前記発信者側端末は、前記着信者側端末から送信された通話可能時刻を示すコンテンツメッセージを取得し、表示するスケジュール取得手段を備えることを特徴とする。
【００１７】
また本発明は、発信の履歴を管理することが可能で、着信者側端末と音声とデータの通信を行う発信者側端末であって、
前記着信者側端末に、発信者側端末を特定する発信端末ＩＤを通知する発信端末ＩＤ送信手段と、前記発信端末ＩＤを通知後、前記着信者側端末から音声通話が不可能な旨を示す不在信号が送信された場合、その不在信号を検出する不在信号検出手段と、前記不在信号を検出した際に、所定のコンテンツメッセージを前記着信者側端末に送信するか否かを選択するメッセージ送信選択手段と、送信することが選択された場合に、音声通話回線を切断し、データ通信回線に切替える切替手段と、前記コンテンツメッセージを前記着信者側端末にデータ通信回線を用いて送信するメッセージ送信手段を備えることを特徴とする。
【００１８】
また本発明は、着信の履歴を管理することが可能で、発信者側端末と音声とデータの通信を行う着信者側端末であって、
前記発信者側端末からの着信を検出し、発信者側端末を特定する発信端末ＩＤを取得する発信端末ＩＤ取得手段と、前記着信を検出後、音声通話が不可能な旨を示す不在信号を前記発信者側端末に通知する不在信号送信手段と、前記不在信号を通知した後に、前記発信者側端末から所定のコンテンツメッセージが送信された場合、そのコンテンツメッセージを受信するメッセージ受信手段と、受信したコンテンツメッセージと前記発信端末ＩＤとを関連付けて着信履歴を作成し、管理する着信履歴管理手段と、前記着信履歴を出力する着信履歴出力手段を備えることを特徴とする。
【発明の効果】
【００１９】
本発明によれば、次に示すような効果を有する。
（１）着信者側端末には着信履歴として、発信者側端末の電話番号など発信者側端末を特定する発信端末ＩＤと、発信者側端末から送信されたコンテンツメッセージとが関連付けられて記録されるので、着信不在時に発信者を特定することができるとともに、コンテンツメッセージによってその後の円滑な対処法を得ることができる。例えば、発信者が掛け直すのか、着信者に掛け直してほしいのか、あるいは、重要な要件ではないのでまた今度の機会にするのかといった情報を留守録機能を使用することなく得ることができる。
（２）また、着信者は、サーバからコンテンツメッセージを取得することができるので、発信者は、サーバ上の様々なコンテンツメッセージ、例えば思いもつかないユーモアのあるコンテンツメッセージを容易に送信することができる。さらに、発信者側端末から送信される所定のコンテンツメッセージをコンテンツメッセージを特定するメッセージ特定情報とするので、送信される所定のコンテンツメッセージを、例えばＵＲＬ情報にするなど簡素化することができる。
（３）さらに、発信者側端末から送信される所定のコンテンツメッセージを着信者側端末で蓄積管理されたコンテンツメッセージを特定するメッセージ特定情報とするので、送信される所定のコンテンツメッセージを、例えば符号化するなど簡素化することができる。また、これにより着信履歴の画面からコンテンツメッセージを一目で把握できるように符号化することもできる。
【００２０】
（４）また、メッセージ送信選択手段を備えることにより、発信者側端末は、着信者側端末から不在信号を受信した際に、コンテンツメッセージを着信者側端末に送信するか否かを容易に選択することができる。
（５）また、発信者側端末は、着信者側端末を特定する着信端末ＩＤと送信したコンテンツメッセージとを関連付けて発信履歴を作成し、管理し、出力可能にしたので、発信者は送信したコンテンツメッセージを一目で確認することができる。
（６）また、発信者側端末は、着信者側端末から不在信号を受信した際に、音声通話回線を切断し、例えばパケット通信などのデータ通信回線に切替えてコンテンツメッセージを送信するので、通話料を節約することができる。
（７）また、メールによってコンテンツメッセージの送受信を可能にしたので、着信者側端末では、タイムラグのある情報を受け取ることができ、電話での用件がどの発信者のメールの内容であったことを認識することができる。また、発信者側端末では、着信者側端末に対して送信したメールの内容を確認することができる。
【００２１】
（８）また、着信者側端末は、発信者側端末に複数のコンテンツメッセージを送信し、発信者側端末が着信者側端末に送信する場合の選択肢の一つにさせるので、発信者は例えば着信者側端末でデフォルト設定されたコンテンツメッセージを確認することができる。
（９）また、着信者側端末は、発信者側端末の非通知設定時にはその旨を発信者側端末に送信し、発信者側端末ではその信号を検出し、表示するので、発信者は容易に通知設定に切り替えることができる。さらに、発信者側端末の非通知設定時にその発信者側端末は、着信者側端末にコンテンツメッセージを送信しようとした場合、非通知であることを検出し、表示するので、発信者は容易に通知設定に切り替えることができる。
（１０）また、着信者側端末は、発信者側端末から掛け直すことを示すコンテンツメッセージが送信された場合、通話可能時刻を示すコンテンツメッセージを発信者側端末に送信するので、発信者が次回掛け直すときに、着信不在になる可能性を低くすることができる。
【発明を実施するための最良の形態】
【００２２】
以下、本発明の実施の形態について、図面を用いて説明する。
（実施形態１）
本発明の実施形態１に係るメッセージ通信システムは、図１に示すように、着信の履歴を管理することが可能な携帯電話機（端末）２００間で、公衆回線網あるいはこれに加えてインターネット上のサーバを介して、音声とデータの通信を行うことのできるシステムである。
【００２３】
図１に示した携帯電話機２００の代表例を図２に示す。携帯電話機２００は、通信を行うためのアンテナ２１０と、データを表示する画面２２０と、音声を出力するスピーカー２３０と、入力を行うボタン群と他装置より構成されている。入力を行うボタン群には、着信者側端末として使用する場合には着信履歴を、発信者側端末として使用する場合には発信履歴を、それぞれ画面２２０に表示するための発着信履歴ボタン８００があり、ユーザが一回押下すると着信履歴が表示され、二回押下すると発信履歴が表示される。
なお、発着信履歴ボタン８００は図２に示した位置のボタンに限定されるものではなく、任意の入力ボタン群に割り当てるようにしてもかまわない。
【００２４】
携帯電話機２００は、図３に示すように、携帯電話機２００の制御を行うＣＰＵ２０１、記憶部として機能するＲＯＭ２０２とＲＡＭ２０３、スピーカー２３０を有する音声出力部２０４、画面２２０を有する表示部２０５、アンテナ２１０を有する無線通信部２０６、そして、発着信履歴ボタン８００やその他複数の入力ボタンを有するボタン入力部２０７から構成され、互いに接続されている。
ＲＯＭ２０２内には、本発明に係るサービスを提供するためのソフトフェアプログラムが格納されており、ＣＰＵ２０１はＲＯＭ２０２内に格納されているプログラムを実行する。該実行に伴い、ＣＰＵ２０１はＲＡＭ２０３に対して、実行時に発生するデータの書き込み・修正を行う。
該実行に伴い、ＣＰＵ２０１はユーザに対して、音声出力部２０４を通じて、スピーカー２３０に音声を出力し、表示部２０５を通じて画面２２０へ画像を出力する。また、ボタン入力部２０７に接続された入力を行うボタン群よりユーザのキー入力を受け付ける。また、無線通信部２０６に接続されたアンテナ２１０を通じて通信を行い、サービスに必要なデータを受信・送信する。
【００２５】
以上が本発明の実施形態１に係る携帯電話機２００のハードウェア構成である。続いて、図３に示す携帯電話機２００を着信者側端末として機能させるためのソフトウェア構成について、図４を参照して説明する。
ＲＯＭ２０２に格納されているプログラムはＣＰＵ２０１により読み取られることにより、通信手段３０１、メッセージＩＤ取得手段３０２、着信履歴管理手段３０３、着信履歴格納手段３０４、メッセージ管理手段３０５、メッセージ格納手段３０６、メッセージ再生手段３０７、履歴参照手段３０８、ユーザ入力手段３０９という具体的な手段として機能する。
【００２６】
通信手段３０１は、データの送受信を行う。メッセージＩＤ取得手段３０２は、発信者側端末から送信されるメッセージＩＤ６０１を取得する。メッセージＩＤ６０１としては、例えば、図５に示すような、「//default/cmessage1.jpg」６１０、「//default/cmessage2.jpg」６１１、あるいは、「//default/cmessage3.jpg」６１２といったＵＲＬ情報が使用される。着信履歴管理手段３０３は、着信のあった発信端末ＩＤを示す電話番号と着信時刻を検出する他に、前記メッセージＩＤと前記発信端末ＩＤとを関連付けて着信履歴を作成し、管理する。着信履歴格納手段３０４は、作成された着信履歴を記憶する。メッセージ管理手段３０５は、メッセージ格納手段３０６で記憶されたコンテンツメッセージを管理する。メッセージＩＤ６０１は、メッセージ格納手段３０６で記憶されたコンテンツメッセージを特定するメッセージ特定情報の機能を果たす。
メッセージ格納手段３０６では、図６に示すように、予め前記メッセージＩＤに対応するコンテンツメッセージ７００が記憶されている。例えば、「//default/cmessage1.jpg」というメッセージＩＤには、「後で掛けなおします」というコンテンツメッセージ付きの例えばアイコン画面等の出力画面７１０が、「//default/cmessage2.jpg」というメッセージＩＤには、「電話待ってます」というコンテンツメッセージ付きの出力画面７１１が、そして、「//default/cmessage3.jpg」というメッセージＩＤには、「また今度」というコンテンツメッセージ付きの出力画面７１２が、対応付けられている。なお、コンテンツメッセージ７００はメッセージＩＤ６０１の内容に基づき、予めネットワーク上のサーバから取得されたものが格納されている。なお、ネットワーク上のサーバから取得する前に、端末の購入時に既に、デフォルトされたコンテンツメッセージが格納されている場合もある。
メッセージ再生手段３０７は、履歴参照手段３０８で表示される着信履歴情報一覧に記録されたメッセージＩＤに対応するコンテンツメッセージを再生し画面として出力する。ユーザ入力手段３０９は、ユーザからの入力を検出する。
【００２７】
なお、携帯電話機２００を発信者側端末として機能させる場合のソフトウェア構成としては、着信者側端末に、発信者側端末を特定する発信端末ＩＤを通知する発信端末ＩＤ送信手段、着信者側端末から送信される不在信号、コンテンツメッセージを検出する不在信号検出手段と、不在信号の検出後、メッセージＩＤを着信者側端末に送信するメッセージ送信手段とをさらに備える。
【００２８】
次に、図７のフローチャートを参照して着信履歴データの作成処理について説明する。
先ず、電話の着信を検出すると、着信履歴管理手段３０３は、着信電話番号と着信時刻を取得する（Ｓ３０１）。
【００２９】
次に、着信電話に対して所定時間内に受話したか否かを判断し（Ｓ３０２）、受話した場合には、着信電話番号と着信時刻を着信履歴データとして追加保存するが（Ｓ３０８）、受話しないと、音声通話が不可能な旨を示す不在信号またはコンテンツメッセージを発信者側端末に送信する（Ｓ３０３）。
【００３０】
次に、不在信号またはコンテンツメッセージを送信した後、所定時間内にメッセージＩＤが発信者側端末から送信されてきたか否かを判断し（Ｓ３０４）、メッセージＩＤが送信されてこなかった場合には、通常の留守録を実行するが（Ｓ３０６）、送信されてくると、メッセージＩＤを取得する（Ｓ３０５）。
そして、着信履歴管理手段３０３は、発信者側端末の電話番号とメッセージＩＤとを対応付けた着信履歴を作成し（Ｓ３０７）、着信履歴データとして追加保存する（Ｓ３０８）。なお、電話番号に対応付けられるコンテンツメッセージは、発信者側端末から送信されたメッセージＩＤに対応したコンテンツメッセージをメッセージ格納手段３０６から読み出すことによって得られる。
【００３１】
このように、着信者側端末には着信履歴として発信者側端末の電話番号とメッセージＩＤ、さらに本実施形態の場合には発信者名が記録されるので、着信不在時に発信者を特定することができるとともに、メッセージＩＤに対応したコンテンツメッセージが得られるので、その後の対処法、すなわち、発信者が掛け直すのか、着信者に掛け直してほしいのか、あるいは、重要な要件ではないのでまた今度の機会にするのかといった情報を留守録機能を使用することなく得ることができる。
【００３２】
なお、本実施形態ではコンテンツメッセージを図６で示したような文字が入力された静止画で示したが、これに限られることなく、例えば、動画、ＪＡＶＡ（登録商標）アプリ、音声によっても出力することができる。
またメッセージ特定情報の機能を果たすメッセージＩＤ６０１として、ＵＲＬ情報を使用したが、これに限られることなく、予めメッセージ格納手段３０６に記憶されたコンテンツメッセージに対応して符号化されたものでもよく、また直接コンテンツメッセージを示すものであってもよい。
【００３３】
（実施形態２）
次に、本発明の実施形態２に係るメッセージ通信システムについて、図８乃至図１１を参照にして説明する。なお、実施形態１と同一部分には同一符号を付し、その説明を省略した。
本発明の実施形態２に係るメッセージ通信システムでは、発信者側端末から送信されるメッセージＩＤとして種別を符号化して付加したものである。また、着信者側端末がメッセージＩＤに基づきコンテンツメッセージをネットワーク上のサーバから取得可能にしたものである。
【００３４】
メッセージＩＤ種別とは、例えば図８に示すように、３つの種別から構成されたものであり、種別１には対処法、種別２にはコンテンツメッセージの格納場所、種別３にはコンテンツメッセージの出力方法が割り当てられている。種別１は２桁の２値データからなり、「００」は「後で掛けなおします」、「０１」は「電話待ってます」、「１０」は「また今度」といったようにコンテンツメッセージが符号化され、その内容を表している。また、種別２も２桁の２値データからなり、「００」は「メッセージＩＤに対応したコンテンツメッセージは端末内にデータとして格納されていること」、「０１」は「メッセージＩＤに対応したコンテンツメッセージはネットワーク上にデータとして格納されていること」を表している。そして、種別３は３桁の２値データからなり、「０００」は「ＪＡＶＡ（登録商標）アプリとして出力すること」、「００１」は「動画として出力すること」、「０１０」は「静止画として出力すること」、「０１１」は「音声として出力すること」、「１００」は「留守録音声として出力すること」、「１０１」は「テキストとして出力すること」を表している。
【００３５】
そして、メッセージＩＤ種別は、図９に示すように、コンテンツメッセージ格納アドレスに付加されたＵＲＬ情報８１０，８１１，８１２からなるメッセージＩＤ８０１として、発信者側端末から着信者側端末に送信される。
送信されたメッセージＩＤ９０２は、図１０に示す、本発明の実施形態２に係る携帯電話機２００のソフトウェアを構成する着信履歴管理手段３０３によって、図１１に示す着信履歴のデータ構造のように、電話番号９０１、発信者名９０３、着信日時９０４と関連付けられる。なお、メッセージＩＤ種別は図１０に示すメッセージＩＤ解析手段３１０によって種別情報が解析される。
例えば、図１１において、データ９１０は、２００３年７月７日１８：３０に山田氏（電話番号０９０５５５５１１１１）から着信があり、そのコンテンツメッセージは、「後で掛けなおします」というもので、静止画として着信者側端末内、具体的にはメッセージ格納手段３０６にデータが存在することを示している。また、データ９１１は、２００３年７月４日１３：００に松下氏（電話番号０８２５５５７７７７）から着信があり、特にメッセージＩＤは送信されなかったことを示している。さらに、データ９１２は、２００３年６月２７日０８：１５に川本氏（電話番号０９０５５５５０１２３）から着信があり、そのコンテンツメッセージは、「また今度」というもので、動画としてネットワーク上のサーバに、http://www.content.co.jp/cmessage/movie/message3.mp4とするアドレスにデータが存在することを示している。なお、図１０に示すメッセージ取得手段３１１が前記アドレスに基づきネットワーク上のサーバから対応するコンテンツメッセージを取得し、メッセージ管理手段３０５がコンテンツメッセージの内容をメッセージ格納手段３０６に格納する。また、データ９１３は、２００３年６月２０日０８：００に川端氏（電話番号０８０６６６６０１２３）から着信があり、コンテンツメッセージが留守録されたことを示している。なお、データ９１３に関しては、メッセージＩＤが発信者側端末から送信されるものではなく、着信者側端末で留守録のシーケンスに入った場合に、着信者側端末で生成されるものである。
【００３６】
このように、メッセージＩＤ種別を付加し、種別を解析することにより、コンテンツメッセージの概略を再生することなく知ることができる。また、ネットワークにアクセスしてコンテンツメッセージを取得することができるので、サーバ上の様々なコンテンツメッセージ、例えばユーザだけでは思いもつかないユーモアのあるコンテンツメッセージを容易に送信することができる。
【００３７】
（実施形態３）
次に、本発明の実施形態３に係るメッセージ通信システムについて、図１２乃至図１６を参照にして説明する。なお、実施形態１と同一部分には同一符号を付し、その説明を省略した。
本発明の実施形態３に係るメッセージ通信システムでは、着信履歴表示時に、コンテンツメッセージの有無やメッセージＩＤ種別の内容も同時に表示したものである。
【００３８】
コンテンツメッセージの有無やメッセージＩＤ種別の内容は、図１２に示す、本発明の実施形態３に係る携帯電話機２００のソフトウェアを構成する着信履歴種別描画データ作成手段３１２によって描画データが作成される。
【００３９】
次に、図１３のフローチャートを参照して着信履歴データの表示処理について説明する。
着信履歴ボタン８００がユーザによって押下されたことが検出されると（Ｓ４０１）、着信履歴データが存在し、そのデータ構造中にメッセージＩＤがあるか否かを判断する（Ｓ４０２）。そして、メッセージＩＤが存在すると、メッセージＩＤ種別を解析し（Ｓ４０３）、コンテンツメッセージの有無やメッセージＩＤ種別の内容を示す描画データと、着信日時，着信電話番号（もしくは名前）及び不在情報を示す描画データを作成する（Ｓ４０４，Ｓ４０５）。そして、これらの描画データを加味した着信履歴の一覧を表示する（Ｓ４０６）。
次に、ネットワーク上のサーバからコンテンツメッセージを取得することを示すメッセージＩＤが選択されたか否かを判断し（Ｓ４０７）、選択された場合にはネットワーク上のサーバからメッセージＩＤに対応したコンテンツメッセージを取得し（Ｓ４０８）、選択されなかった場合には、着信者側端末内からメッセージＩＤに対応したコンテンツメッセージを取得する（Ｓ４０９）。そして、これらのコンテンツメッセージも着信履歴の一覧として表示する（Ｓ４１０）。
【００４０】
これにより、コンテンツメッセージの有無は、図１４に示す着信履歴の表示画面１１０１のように、「Ｍsg」の有無によって表示される。または、図１５に示す着信履歴の表示画面１２０１のように、メッセージＩＤ種別の内容も「Ｍsg」に追加されて表示されてもよい。また、不在の場合には「不存」と表示される。さらに、図１６に示すように、表示画面１２０１のうちメッセージＩＤ種別の内容を示す部位が押下されると、メッセージＩＤ種別に対応したコンテンツメッセージが大きく画面表示１３０１されるようになっている。
【００４１】
このように、ユーザは着信履歴の画面からメッセージＩＤ種別、そしてこれに対応したコンテンツメッセージを一目で取得することができる。
【００４２】
（実施形態４）
次に、本発明の実施形態４に係るメッセージ通信システムについて、図１７乃至図１９を参照にして説明する。
本発明の実施形態４に係るメッセージ通信システムでは、発信者側端末において、着信者へどのような対処をしてほしいかを選択させ、選択されたメッセージＩＤを着信者側端末に送信するようにしたものである。
【００４３】
発信者側端末のソフトフェア構成は、図１７に示すように、通信手段４０１、メッセーセＩＤ送信手段４０２、メッセージＩＤ選択手段４０３、ユーザ入力手段４０４、メッセージ取得手段４０５、メッセージ管理手段４０６、メッセージ格納手段４０７、メッセージ再生手段４０８を備えている。その他、着信者側端末から送信される不在信号やコンテンツメッセージを検出する不在信号検出手段を備えている。
【００４４】
通信手段４０１は、データの送受信を行う。メッセージＩＤ送信手段４０２は、着信者側端末にユーザ入力手段４０４を介してメッセージＩＤ選択手段４０３で選択されたメッセージＩＤを送信する。メッセージ取得手段４０５は、ネットワーク上のサーバからコンテンツメッセージ、及びその種別を取得する。メッセージ管理手段４０６は、メッセージ格納手段４０７で記憶されたコンテンツメッセージを管理する。メッセージ再生手段４０８はコンテンツメッセージを再生する。
【００４５】
次に、図１８のフローチャートを参照してコンテンツメッセージの選択処理について説明する。
先ず、着信者側端末から不在信号またはコンテンツメッセージを受信すると（Ｓ５０１）、ユーザによってメッセージ選択ボタンが押下されたか否かを判断する（Ｓ５０２）。メッセージ選択ボタンは、発信者側端末のボタン群に割り当てられている。そして、メッセージ選択ボタンが押下されると、図１９に示すような、メッセージ選択の画面１５０１が表示されユーザの選択が待たれる（Ｓ５０３）。
【００４６】
そして、図１９の画面１５０１に示すデフォルトコンテンツまたはお気に入りが選択されると、その内容をメッセージＩＤとして着信者側端末に送信する（Ｓ５０４，Ｓ５０７）。なお、デフォルトコンテンツは着信者側端末に対応するコンテンツメッセージが予め保存されている。また、お気に入りの場合は、送信されるアドレスに基づいて着信者側端末がネットワーク上のサーバから対応するコンテンツメッセージを取得する。一方、ＵＲＬ入力が選択されると、メッセージ取得手段４０５は、ブラウザを起動し、入力されたＵＲＬを表示し（Ｓ５０５）、コンテンツメッセージが選択されると、その内容を特定するメッセージ特定情報であるメッセージＩＤとして着信者側端末に送信する（Ｓ５０６，Ｓ５０７）。なお、メッセージＩＤはメッセージ特定情報としてではなく、内容であるコンテンツメッセージそのものを送信してもよい。
【００４７】
これによれば、着信者側端末にメッセージＩＤを送信するか否か、あるいは、送信する場合には、どのような内容のメッセージＩＤにするのか容易に選択することができる。
【００４８】
なお本実施形態では、ユーザがメッセージ選択ボタンが押下すると（Ｓ５０２）、メッセージ選択の画面１５０１が表示されるようにしたが（Ｓ５０３）、これにかえて、図２０，図２１に示すように、メッセージＩＤ選択切替手段４１２を付加して、着信者側端末から不在信号またはコンテンツメッセージを受信すると（Ｓ５０１）、自動的にメッセージ選択の画面１５０１が表示されるようにしてもよい（Ｓ５０３）。
これによれば、ユーザ操作の手間が省ける。
【００４９】
（実施形態５）
次に、本発明の実施形態５に係るメッセージ通信システムについて、図２２乃至図２４を参照にして説明する。なお、実施形態４と同一部分には同一符号を付し、その説明を省略した。
本発明の実施形態５に係るメッセージ通信システムでは、発信者側端末において、着信者側端末の電話番号と送信したメッセージＩＤとを関連付けた発信履歴を作成し、表示可能にしたものである。
【００５０】
発信者側端末のソフトフェア構成として、図２２に示すように、発信履歴を記憶する発信履歴格納手段４１０と、発信履歴を作成し、作成した情報を発信履歴格納手段４１０に書込んだり読出したりする発信履歴管理手段４０９と、発信履歴情報一覧を画面に表示する発信参照手段４１１を備えている。
発信履歴管理手段４０９で作成される発信履歴のデータ構造１０００は、図２３に示すように、例えば、着信者側端末の電話番号１００１、送信したメッセージＩＤ１００２、発信先名１００３、発信日時１００４からなり、発着信履歴ボタン８００の押下により、発信履歴は、図２４に示す画面１４０１のように表示される。この際、メッセージＩＤ種別についても描画データとして表示可能である。
【００５１】
これによれば、発信者は、着信者側端末に送信したメッセージＩＤに対応したコンテンツメッセージを一目で確認することができる。
【００５２】
（実施形態６）
次に、本発明の実施形態６に係るメッセージ通信システムについて、図２５乃至図２８を参照にして説明する。なお、実施形態１，４と同一部分には同一符号を付し、その説明を省略した。
本発明の実施形態６に係るメッセージ通信システムでは、着信者側端末から不在信号またはコンテンツメッセージを受信すると、一旦音声通信回線を切断し、その後、例えばパケット通信などのデータ通信回線を使用してメッセージＩＤを着信者側端末に送信するものである。
【００５３】
発信者側端末のソフトフェア構成として、図２５に示すように、回線切替手段４１４が付加され、図２６に示す回線切り替えのフローチャートに示すように、回線切替手段４１４は、着信者側端末から不在信号またはコンテンツメッセージを受信すると（Ｓ５０１）、回線切替後の通信を容易にするため擬似メッセージＩＤを送信した後（Ｓ５１２）、音声通信回線を切断し、パケット通信回線への切替えを行う（Ｓ５１３）。その後の処理は、実施形態４の図２１のＳ５０３〜Ｓ５０７の処理と同様である。
【００５４】
一方、着信者側端末のソフトフェア構成としては、図２７に示すように、着信履歴付加情報付加手段３１４が付加され、図２８に示す回線切り替えのフローチャートに示すように、着信履歴付加情報付加手段３１４は、着信者側端末から送信された擬似メッセージＩＤを取得し（Ｓ３１０）、音声通信回線が切断されたことを検知すると（Ｓ３１１）、電話番号と擬似メッセージＩＤとを関連付けた状態で着信履歴を着信履歴管理手段３０３に作成させ（Ｓ３０７）、データとして追加保存させる（Ｓ３０８）。その後、切替えられたパケット通信回線によって送信されたメッセージＩＤを取得すると（Ｓ３１２）、着信履歴データの擬似メッセージＩＤを検索して、受信したメッセージＩＤで上書きをする（Ｓ３１３）。
【００５５】
これによれば、発信者がメッセージＩＤを選択する場合などの通話料を節約することができる。また、擬似メッセージＩＤを使用することによって、音声通信回線からパケット通信回線等のデータ通信回線に切替えてもメッセージＩＤを確実に着信者側端末に送信することができ、着信履歴としての管理も問題なく行える。
【００５６】
（実施形態７）
次に、本発明の実施形態７に係るメッセージ通信システムについて、図２９乃至図３７を参照にして説明する。なお、実施形態１，４と同一部分には同一符号を付し、その説明を省略した。
本発明の実施形態７に係るメッセージ通信システムでは、発信者側端末から送信されるメッセージＩＤ種別に、図２９で示すように、メール連携による種別（ここでは、種別１に「１１」として設けた）を設け、メールによってコンテンツメッセージの送受信を可能にしたものである。
【００５７】
発信者側端末のソフトフェア構成として、図３０に示すように、メールの作成と送受信を行うメール送受信手段４１７と、メッセージＩＤを送信メールに付加するとともに、発信履歴管理手段４０９において発信履歴情報に関連付けて管理させる発信メール連携手段４１８が付加され、図３１に示すメール連携のフローチャートに示すように、着信者側端末から不在信号またはコンテンツメッセージを受信すると（Ｓ５０１）、図３２で示すようなメッセージ選択の画面２３０１を表示する（Ｓ５０２）。この画面２３０１によってメール連携を選択可能にしている。そして、ユーザがメール連携を選択すると（Ｓ５１４）、種別１が「１１」となったメッセージＩＤが送信され（Ｓ５０７）、発信履歴管理手段４０９によって着信者側端末の電話番号と送信されたメッセージＩＤが関連付けられ（Ｓ５０８）、発信履歴データとして追加保存される（Ｓ５０９）。その後、ユーザは、回線を切断し、例えば、図３３に示すようなメールの種別が含まれたメールを作成した後、メールを送信する。なお、メールにはメールによるコンテンツメッセージと着信履歴を関連付けるリファレンスとしてダミーのリファレンスＩＤが追加されている。
【００５８】
一方、着信者側端末のソフトフェア構成としては、図３４に示すように、メールの作成と送受信を行うメール送受信手段３１７と、メッセージＩＤが付加されたメール受信時に、着信メールからメッセージＩＤを取得し着信履歴管理手段３０３において着信履歴情報に関連付けて管理させる着信メール連携手段３１８と、メール情報を記憶するメール情報格納手段３１６が付加され、図３５に示すメール連携のフローチャートに示すように、発信者側端末から送信されたメールを受信すると（Ｓ３０１）、受信メールの中にメッセージＩＤが付加されているか否かを解析し（Ｓ３０２）、付加されていればメッセージＩＤを取得する（Ｓ３０３）。そして、着信履歴データに関連するメッセージＩＤがあるか否かを判断し（Ｓ３０４）、メッセージＩＤがあれば受信したメッセージＩＤを着信者側端末のメッセージＩＤに変換して上書きする（Ｓ３０５）。
メール通信の場合、着信履歴データ構造２０００は、図３６に示すように、データ２０１０のようなメッセージＩＤ２００２が発信者側端末の電記番号２００１に関連付けられ保存される。そして、着信履歴の表示画面２１０１は、図３７に示すようになり、メール連携は描画データとしても表示される。そして、ユーザが選択することによって受信メールの内容が画面２２０１として表示される。なお、着信履歴データ構造２０００にもメールによるコンテンツメッセージと着信履歴を関連付けるリファレンスとしてダミーのリファレンスＩＤが追加されていて、メールからリファレンスＩＤを取り出し、着信者側端末でリファレンスＩＤをキーに着信履歴データ構造２０００を検索し、該当する着信履歴にメールにて指定されたメッセージＩＤを追加するようになっている。
【００５９】
これによれば、着信者側端末では、タイムラグのある情報を受け取ることができ、電話での用件がどの発信者のメールの内容であったことを認識することができる。また、発信者側端末では、着信者側端末に対して送信したメールの内容を確認することができる。
【００６０】
（実施形態８）
次に、本発明の実施形態８に係るメッセージ通信システムについて、図３８乃至図４２を参照にして説明する。なお、実施形態１，４と同一部分には同一符号を付し、その説明を省略した。
本発明の実施形態８に係るメッセージ通信システムでは、着信者側端末から不在信号またはコンテンツメッセージを送信するときにデフォルト設定された複数のメッセージＩＤを発信者側端末に送信し、発信者側端末での選択肢の一つにさせるものである。
【００６１】
着信者側端末のソフトフェア構成として、図３８に示すように、メッセージＩＤ通知手段３１３が付加され、図３９に示すメッセージ端末間連携のフローチャートのように、メッセージＩＤ通知手段３１３は、不在信号を発信者側端末に送信するときに併せてデフォルト設定された複数のメッセージＩＤを送信する（Ｓ３０９）。
【００６２】
一方、発信者側端末のソフトフェア構成として、図４０に示すように、メッセージＩＤ取得確認手段４１３が付加され、図４１に示すメッセージ端末間連携のフローチャートのように、メッセージＩＤ取得確認手段４１３は、着信者側端末から送信された不在信号とともにデフォルト設定された複数のメッセージＩＤを受信し（Ｓ５１０）、図４２に示す選択画面１６０１のように、着信先デフォルトコンテンツ情報をＵＲＬ情報として追加した状態でメッセージ選択画面を表示する（Ｓ５１１）。そして、ユーザによってデフォルトコンテンツ情報が選択されると、対応するメッセージＩＤが着信者側端末に送信される（Ｓ５０４，Ｓ５０７）。
なお、本実施形態ではデフォルトコンテンツ情報を着信者側端末から発信者側端末に送信するようにしたが、サーバから発信者側端末に送信させるようにしてもよい。
【００６３】
これによれば、発信者が着信者側端末でデフォルト設定されているコンテンツメッセージを確認することができる。
【００６４】
（実施形態９）
次に、本発明の実施形態９に係るメッセージ通信システムについて、図４３及び図４４を参照にして説明する。なお、実施形態４と同一部分には同一符号を付し、その説明を省略した。
本発明の実施形態９に係るメッセージ通信システムでは、発信者側端末に電話番号を発信先に通知しない非通知設定がされている時に、着信者側端末は、発信者側端末から非通知の状態でメッセージＩＤが送信された場合に、発信者側端末に対して非通知である旨を通知し、通知設定に切り替えることを促すようにしたものである。
【００６５】
発信者側端末のソフトフェア構成として、図４３に示すように、非通知設定検出手段４１５が付加されている。非通知設定検出手段４１５は、発信者側端末からメッセージＩＤを非通知の状態で送信したことに対して着信者側端末から非通知信号送信手段を介して送信された非通知である旨の信号を検出すると、図４４に示すように、メッセージ選択画面１７０１に非通知設定になっているので通知設定に切り替えることを促す。なお、非通知である旨の信号は独立した信号でも、又は不在信号に中に含め、不在信号を発信者側端末に通知するときに、発信者側端末に送信するようにしてもよい。
【００６６】
なお、ここでは着信側端末から送信された非通知である旨の信号を検出することによって、発信者側端末は非通知設定になっていることを表示してユーザに知らせるようにしたが、発信者側端末に非通知設定がされている時に、発信者側端末が着信者側端末にコンテンツメッセージを送信しようとした場合、非通知設定検出手段４１５が非通知であることを検出し、表示してユーザに知らせるようにしてもよい。
【００６７】
（実施形態１０）
次に、本発明の実施形態１０に係るメッセージ通信システムについて、図４５乃至図４９を参照にして説明する。なお、実施形態１，４と同一部分には同一符号を付し、その説明を省略した。
本発明の実施形態１０に係るメッセージ通信システムでは、発信者側端末から掛け直すことを示すメッセージＩＤが送信された場合に、着信者側端末から通話可能時刻を示すスケジュールを通知するようにしたものである。
【００６８】
着信者側端末のソフトフェア構成として、図４５に示すように、スケジュール通知手段３１５が付加され、図４６に示すスケジュール通知のフローチャートのように、スケジュール通知手段３１５は、発信者側端末からメッセージＩＤが送信されると（Ｓ３０４）、そのメッセージＩＤを取得し（Ｓ３０５）、その内容を解析する（Ｓ３１４）。そして、メッセージＩＤの内容が「掛けなおす」旨のコンテンツメッセージであると（Ｓ３１５）、スケジュールを送信して通話可能時刻を示す（Ｓ３１６）。
【００６９】
一方、発信者側端末のソフトフェア構成として、図４７に示すように、着信者側端末から送信されたスケジュールデータを取得し、メッセージ格納手段４０７に記憶させるスケジュール取得手段４１６が付加されている。
そして、図４８に示すように、着信者（発信先）のスケジュールに対応した受信データＩＤ２００５は、電話番号２００１、メッセージＩＤ２００２、発信先２００３、発信日時２００４とともに発信履歴管理手段４０９を介して発信履歴データ構造２０００として書込まれる。そして、図４９に示すように、発信履歴の画面１４０１にはスケジュール通知があることを示す描画データが作成され、それをユーザが選択すると、スケジュールの内容が画面１８０１に表示される。
【００７０】
これによれば、発信者が次回掛け直すときに、着信不在になる可能性が低い時間を選ぶことができる。
【産業上の利用可能性】
【００７１】
本発明にかかるメッセージ通信システムは、着信不在時に、特に音声メッセージによる通常の留守録機能を使用することなく、その後の円滑な対処法を得ることができるという効果を有し、着信の履歴を管理することが可能な端末間で、音声とデータの通信を行うシステム等に有用である。
【図面の簡単な説明】
【００７２】
【図１】本発明の実施形態１に係るメッセージ通信システムの構成図。
【図２】図１に示す携帯電話機の外観図。
【図３】図１に示す携帯電話機のハードウェアの構成を示すブロック図。
【図４】図１に示す携帯電話機の着信端末側のソフトウェアの構成を示すブロック図。
【図５】本発明の実施形態１に係るメッセージＩＤのデータ構造を示す図。
【図６】本発明の実施形態１に係るコンテンツメッセージを示すブロック図。
【図７】本発明の実施形態１に係る着信履歴データ作成の処理手順の要部を示すフローチャート。
【図８】本発明の実施形態２に係るメッセージＩＤ種別を示すブロック図。
【図９】本発明の実施形態２に係るメッセージＩＤのデータ構造を示す図。
【図１０】本発明の実施形態２に係る携帯電話機の着信端末側のソフトウェアの構成を示すブロック図。
【図１１】本発明の実施形態２に係る着信履歴データ構造を示す図。
【図１２】本発明の実施形態３に係る携帯電話機の着信端末側のソフトウェアの構成を示すブロック図。
【図１３】本発明の実施形態３に係る着信履歴データ表示の処理手順の要部を示すフローチャート。
【図１４】本発明の実施形態３に係る着信履歴の画面構成図。
【図１５】本発明の実施形態３に係る別の着信履歴の画面構成図。
【図１６】図１５に示す画面の一部を押下した場合の画面構成図。
【図１７】本発明の実施形態４に係る携帯電話機の発信端末側のソフトウェアの構成を示すブロック図。
【図１８】本発明の実施形態４に係るメッセージ選択の処理手順の要部を示すフローチャート。
【図１９】本発明の実施形態４に係るメッセージ選択の画面構成図。
【図２０】本発明の実施形態４に係る携帯電話機の発信端末側の別のソフトウェアの構成を示すブロック図。
【図２１】本発明の実施形態４に係る別のメッセージ選択の処理手順の要部を示すフローチャート。
【図２２】本発明の実施形態５に係る携帯電話機の発信端末側のソフトウェアの構成を示すブロック図。
【図２３】本発明の実施形態５に係る発信履歴データ構造を示す図。
【図２４】本発明の実施形態５に係る発信履歴の画面構成図。
【図２５】本発明の実施形態６に係る携帯電話機の発信端末側のソフトウェアの構成を示すブロック図。
【図２６】本発明の実施形態６に係る発信端末側の回線切り替えの処理手順の要部を示すフローチャート。
【図２７】本発明の実施形態６に係る携帯電話機の着信端末側のソフトウェアの構成を示すブロック図。
【図２８】本発明の実施形態６に係る着信端末側の回線切り替えの処理手順の要部を示すフローチャート。
【図２９】本発明の実施形態７に係るメッセージＩＤ種別を示すブロック図。
【図３０】本発明の実施形態７に係る携帯電話機の発信端末側のソフトウェアの構成を示すブロック図。
【図３１】本発明の実施形態７に係る発信端末側のメール連携の処理手順の要部を示すフローチャート。
【図３２】本発明の実施形態７に係るメッセージ選択の画面構成図。
【図３３】本発明の実施形態７に係るメール内容を示す画面構成図。
【図３４】本発明の実施形態７に係る携帯電話機の着信端末側のソフトウェアの構成を示すブロック図。
【図３５】本発明の実施形態７に係る着信端末側のメール連携の処理手順の要部を示すフローチャート。
【図３６】本発明の実施形態７に係る着信履歴データ構造を示す図。
【図３７】本発明の実施形態７に係るメール連携の画面構成図。
【図３８】本発明の実施形態８に係る携帯電話機の着信端末側のソフトウェアの構成を示すブロック図。
【図３９】本発明の実施形態８に係る着信端末側のメッセージ端末間連携の処理手順の要部を示すフローチャート。
【図４０】本発明の実施形態８に係る携帯電話機の発信端末側のソフトウェアの構成を示すブロック図。
【図４１】本発明の実施形態８に係る発信端末側のメッセージ端末間連携の処理手順の要部を示すフローチャート。
【図４２】本発明の実施形態８に係るメッセージ選択の画面構成図。
【図４３】本発明の実施形態９に係る携帯電話機の発信端末側のソフトウェアの構成を示すブロック図。
【図４４】本発明の実施形態９に係るメッセージ選択の画面構成図。
【図４５】本発明の実施形態１０に係る携帯電話機の着信端末側のソフトウェアの構成を示すブロック図。
【図４６】本発明の実施形態１０に係る着信端末側のスケジュール通知の処理手順の要部を示すフローチャート。
【図４７】本発明の実施形態１０に係る携帯電話機の発信端末側のソフトウェアの構成を示すブロック図。
【図４８】本発明の実施形態１０に係る発信履歴データ構造を示す図。
【図４９】本発明の実施形態１０に係るスケジュール通知の画面構成図。
【符号の説明】
【００７３】
２００  携帯電話機
２０１  ＣＰＵ
２１０  アンテナ
２２０  画面
２３０  スピーカー
３０１  通信手段
３０２  メッセージＩＤ取得手段
３０３  着信履歴管理手段
３０４  着信履歴格納手段
３０５  メッセージ管理手段
３０６  メッセージ格納手段
３０７  メッセージ再生手段
３０８  履歴参照手段
３０９  ユーザ入力手段
３１０  メッセージ解析手段
３１１  メッセージ取得手段
３１２  着信履歴種別描画データ作成手段
３１３  メッセージＩＤ通知手段
３１４  着信履歴付加情報付加手段
３１５  スケジュール通知手段
３１６  メール情報格納手段
３１７  メール送受信手段
３１８  着信メール連携手段
４０１  通信手段
４０２  メッセージＩＤ送信手段
４０３  メッセージＩＤ選択手段
４０４  ユーザ入力手段
４０５  メッセージ取得手段
４０６  メッセージ管理手段
４０７  メッセージ格納手段
４０８  メッセージ再生手段
４０９  発信履歴管理手段
４１０  発信履歴格納手段
４１１  発信参照手段
４１２  メッセージＩＤ選択切替手段
４１３  メッセージＩＤ取得確認手段
４１４  回線切替手段
４１５  非通知設定検出手段
４１６  スケジュール取得手段
４１７  メール送受信手段
４１８  発信メール連携手段
８００  発着信履歴ボタン
【図１】
2005117278.tif 000003
【図２】
2005117278.tif 000004
【図３】
2005117278.tif 000005
【図４】
2005117278.tif 000006
【図５】
2005117278.tif 000007
【図６】
2005117278.tif 000008
【図７】
2005117278.tif 000009
【図８】
2005117278.tif 000010
【図９】
2005117278.tif 000011
【図１０】
2005117278.tif 000012
【図１１】
2005117278.tif 000013
【図１２】
2005117278.tif 000014
【図１３】
2005117278.tif 000015
【図１４】
2005117278.tif 000016
【図１５】
2005117278.tif 000017
【図１６】
2005117278.tif 000018
【図１７】
2005117278.tif 000019
【図１８】
2005117278.tif 000020
【図１９】
2005117278.tif 000021
【図２０】
2005117278.tif 000022
【図２１】
2005117278.tif 000023
【図２２】
2005117278.tif 000024
【図２３】
2005117278.tif 000025
【図２４】
2005117278.tif 000026
【図２５】
2005117278.tif 000027
【図２６】
2005117278.tif 000028
【図２７】
2005117278.tif 000029
【図２８】
2005117278.tif 000030
【図２９】
2005117278.tif 000031
【図３０】
2005117278.tif 000032
【図３１】
2005117278.tif 000033
【図３２】
2005117278.tif 000034
【図３３】
2005117278.tif 000035
【図３４】
2005117278.tif 000036
【図３５】
2005117278.tif 000037
【図３６】
2005117278.tif 000038
【図３７】
2005117278.tif 000039
【図３８】
2005117278.tif 000040
【図３９】
2005117278.tif 000041
【図４０】
2005117278.tif 000042
【図４１】
2005117278.tif 000043
【図４２】
2005117278.tif 000044
【図４３】
2005117278.tif 000045
【図４４】
2005117278.tif 000046
【図４５】
2005117278.tif 000047
【図４６】
2005117278.tif 000048
【図４７】
2005117278.tif 000049
【図４８】
2005117278.tif 000050
【図４９】
2005117278.tif 000051